(57)【特許請求の範囲】
【請求項１】
屋外に立設された給水管を囲む形にかつ給水管の上端に付けた蛇口の高さよりも高い箱上面に開口を有する形に形成した箱本体と、前記開口を開閉可能に塞ぐ上蓋とを有する箱体と、前記給水管に接続され先端にノズルを有する散水用ホースと、前記箱体の内部に収納され前記散水用ホースを縦向きにした巻取軸回りに螺旋状に巻き取り、開蓋状態の開口を介して斜め上方へ向けて繰り出し可能な縦長形状のホース自動巻取リールとを備え、前記ノズルを前記開口の縁に設けたホース出入口に着脱可能に配置していることを特徴とする、散水用ホースの格納装置。
【請求項２】
散水用水栓が前記蛇口よりも高い位置に設けられている、請求項１記載の散水用ホースの格納装置。
【請求項３】
外面に蛇口及び散水用水栓の配設された縦長の箱本体と、前記箱本体内に縦長に設けられた給水管とを備え、前記給水管に螺旋状に巻いた状態で散水用ホースが箱本体の上部開口から縦方向に収容されることを特徴とする、散水用ホースの格納装置。
【請求項４】
箱本体内に散水用ホースを巻き取る巻取リールを配設したことを特徴とする、請求項３記載の散水用ホースの格納装置。
【請求項５】
前記巻取リールとして、ホース自動巻取リールを採用した、請求項４記載の散水用ホースの格納装置。
【請求項６】
散水用水栓が前記蛇口よりも高い位置に設けられている、請求項３ないし５のいずれかに記載の散水用ホースの格納装置。
【発明の詳細な説明】
【技術分野】
【０００１】
本発明は、住宅の庭や公園等の屋外に立設された給水管の周りに設置される散水用ホースの格納装置に関する。
【背景技術】
【０００２】
この種の散水用ホースの格納装置として、例えば、屋外に立設された給水管を囲む状態に箱体を設置し、この箱体の内部に給水管に接続された散水用ホースを巻き取るためのホースリールを収納し、散水時には散水用ホースを箱体から引き出して植栽や地表に散水するようにしたガーデンシンクがある（例えば、特許文献１、２参照。）。
【０００３】
こうしたガーデンシンクによれば、散水用ホースを非使用時に巻き取るためのホースリールは箱体の内部に収納されているので、散水作業に便利であり、また庭や公園の美観を損なうことがないという利点がある。
【先行技術文献】
【特許文献】
【０００４】
【特許文献１】特開２０００−２０４６２１号公報
【特許文献２】特開２０００−２０４６１９号公報
【発明の概要】
【発明が解決しようとする課題】
【０００５】
しかしながら、上記ガーデンシンクでは、散水用ホースは給水管の上端に付けた蛇口・水栓の高さよりも低い箱体から側方へ向けて取り出すようにしてあるので、散水用ホースを出し入れする場合には、しゃがんだり、かがんだりしなければならず、作業姿勢にかかる負担が大であった。
【０００６】
また、ホースリールはこれの巻取り軸が水平になるように箱体内に設置されているため、長い散水用ホースを巻き取るにはホースリール（巻取り径）が大型化し、これに伴い箱体も大型に形成しなければならず、箱体の設置スペースを広くとる必要がある。したがって、狭隘な場所に立設された給水管には適用できないという不利がある。
【０００７】
本発明は、このような問題を解決するためになされたもので、その目的とするところは、上記のような、屋外に立設された給水管を囲む状態に箱体を設置し、この箱体の内部に給水管に接続された散水用ホースを巻き取るためのホースリールを収納する散水用ホースの格納装置において、箱体、ホースリール、およびホースリールからの散水用ホースの繰り出し方向などに改善を加えることにより散水時に立ったままの楽な姿勢で散水用ホースを箱体から出し入れすることができ、長い散水用ホースも箱体の内部にコンパクトに収納でき、箱体のスリム化、設置スペースの狭小化を図れる散水用ホースの格納装置を提供することにある。
【課題を解決するための手段】
【０００８】
本発明に係る散水用ホースの格納装置は、請求項１に記載のように、屋外に立設された給水管を囲む形にかつ給水管の上端に付けた蛇口の高さよりも高い箱上面に開口を有する形に形成した箱本体と、前記開口を開閉可能に塞ぐ上蓋とを有する箱体と、前記給水管に接続され先端にノズルを有する散水用ホースと、前記箱体の内部に収納され前記散水用ホースを縦向きにした巻取軸回りに螺旋状に巻き取り、開蓋状態の開口を介して斜め上方へ向けて繰り出し可能な縦長形状のホース自動巻取リールとを備え、前記ノズルを前記開口の縁に設けたホース出入口に着脱可能に配置していることに特徴を有するものである。
【０００９】
請求項２に記載の本発明は、請求項１記載の散水用ホースの格納装置において、散水用水栓が前記蛇口よりも高い位置に設けられているものである。
【００１０】
請求項３記載の本発明に係る散水用ホースの格納装置は、外面に蛇口及び散水用水栓の配設された縦長の箱本体と、前記箱本体内に縦長に設けられた給水管とを備え、前記給水管に螺旋状に巻いた状態で散水用ホースが箱本体の上部開口から縦方向に収容されることを特徴とするものである。
【００１１】
請求項４記載の本発明は、請求項３記載の散水用ホースの格納装置において、箱本体内に散水用ホースを巻き取る巻取リールを配設したことを特徴とするものである。
【００１２】
請求項５記載の本発明は、請求項４記載の散水用ホースの格納装置において、巻取リールとして、ホース自動巻取リールを採用したものである。
【００１３】
請求項６記載の本発明は、請求項３ないし５記載の散水用ホースの格納装置において、散水用水栓が前記蛇口よりも高い位置に設けられていることを特徴とするものである。
【００１４】
請求項１記載の本発明によれば、ホース出入口が給水管の上端に付けた蛇口の高さよりも高い箱上面の開口に設けるとともに、散水用ホースをホース自動巻取リールから開蓋状態の開口を介して斜め上方へ向けて繰り出し可能にしているので、散水時に立ったままの楽な姿勢で散水用ホースを箱体から出し入れすることができ、散水用ホースの出し入れが容易に行える。
しかも、散水用ホースは縦向きにした巻取軸回りに螺旋状に巻き取るようにしてあるので、長い散水用ホースも縦長形状のホース自動巻取リールに螺旋状に巻き取ることができ、縦長形状のホース自動巻取リールは箱体の内部にコンパクトに収納でき、箱体のスリム化、設置スペースの狭小化を図れ、したがって狭隘な場所に立設された給水管にも適用できるという利点がある。
【００１５】
請求項２に記載の本発明によれば、立ったままの楽な姿勢で散水用ホースを箱体から出し入れすることができるとともに、散水用水栓の開閉操作も楽な立ち姿勢で行うことができる。
【００１６】
請求項３に記載の本発明によれば、巻取リールを設けない場合でも散水用ホースを手で螺旋状に巻きながら箱本体内に収容する事が出来、また、箱本体の上部開口から散水用ホースの収容、取り出しを容易に行う事が出来る。
請求項４に記載の本発明によれば、散水用ホースを簡易に巻き取りながら箱本体内に収容する事が出来る。この際、巻取リールはバネ機構等を採用したホース自動巻取リールとすることが望ましい（請求項５）。また、散水用水栓が前記蛇口よりも高い位置に設けられておれば、散水用水栓の開閉操作も楽な立ち姿勢で行うことができる（請求項６）。
【発明の効果】
【００１７】
本発明に係る散水用ホースの格納装置によれば、散水時に立ったままの楽な姿勢で散水用ホースを箱体から出し入れすることができ、長い散水用ホースも箱体の内部にコンパクトに収納でき、箱体のスリム化、設置スペースの狭小化を図ることが出来る。
【図面の簡単な説明】
【００１８】
【図１】本発明の一実施例に係る散水用ホースの格納装置の正面図である。
【図２】図１の散水用ホースの格納装置の側面図である。
【図３】図１の散水用ホースの格納装置から散水用ホースを上方へ繰り出す状態を示す側面図である。
【発明を実施するための形態】
【００１９】
以下、本発明の実施形態を図面に基づき説明する。
【００２０】
図１〜図３において、本発明に係る散水用ホースの格納装置１は、住宅の庭や公園等の屋外に鉛直に立設された給水管２を囲む箱体３と、散水用ホース４と、散水用ホース４を巻き取るための巻取リール５とを備える。なお、巻取リール５としては、図外ボタン操作によってホースを自動的に巻き取ることの出来るホース自動巻取リール５を採用する。
【００２１】
箱体３は、給水管２を囲む断面多角形もしくは断面円形でかつ箱上面７ａに開口６を有する縦方向に細長い形状の箱本体７と、この箱本体７の開口６を開閉可能に塞ぐ上蓋８とを有する。箱本体７の箱上面７ａの高さは給水管２の上端に付けた蛇口９の高さ（人の腰の高さ位置付近）よりも高く設定している。なお、箱体３の下部には台座もしくは流し１０を設けている。
【００２２】
散水用ホース４は給水管２に分岐管１１を介して接続され、先端にノズル１２を付けている。ノズル１２は箱体３の開口６の縁に凹設したホース出入口１３に着脱可能に配置する。
【００２３】
ここでのホース自動巻取リール５は、巻取軸１４を縦向きにする縦長形状に形成され、常に散水用ホース４を巻取軸１４回りに螺旋状に巻き取る方向に回転力がぜんまいバネ（図示せず）などによって付勢されてなるものである。散水用ホース４はぜんまいバネの弾力に抗して繰り出されて延び、ぜんまいバネの弾力で巻き取られる。
【００２４】
散水用水栓１５の開閉操作も楽な立ち姿勢で行えるように該散水用水栓１５は蛇口９よりも高い位置に設けている。
【００２５】
次に、上記のように構成した散水用ホースの格納装置１により散水作業する要領について説明する。
【００２６】
まず、図３に示すように、上蓋８を開け、散水用ホース４のノズル１２をホース出入口１３から取り出し、散水用ホース４をホース自動巻取リール５からぜんまいバネの弾力に抗して開口６を介して斜め上方へ向けて繰り出して植栽や地表に散水する。その際、ホース出入口１３が給水管２の上端に付けた蛇口９の高さよりも高い箱上面７ａの開口６の縁に設けるとともに、散水用ホース４をホース自動巻取リール５から開蓋状態の開口６を介して斜め上方へ向けて繰り出すので、立ったままの楽な姿勢で散水用ホース４を箱体３から引き出すことができる。
【００２７】
散水後は、散水用ホース４を巻取軸１４回りにぜんまいバネの弾力で自動的に巻き取ることができる。このとき、散水用ホース４は縦向きにした巻取軸１４回りに螺旋状に巻き取るので、長い散水用ホース４も縦長形状のホース自動巻取リール５によく対応して十分に巻き取ることができる。したがって、縦長形状のホース自動巻取リール５は箱体３の内部にコンパクトに収納でき、箱体３のスリム化、設置スペースの狭小化を図れる。これにより狭隘な場所に立設された給水管２にも適用できて有利である。散水用ホース４の巻取り後も、立ったままの楽な姿勢でノズル１２をホース出入口１３に戻すことができる。最後に、上蓋８を閉じる。
【符号の説明】
【００２８】
１  散水用ホースの格納装置
２  給水管
３  箱体
４  散水用ホース
５  （ホース自動）巻取リール
６  開口
７  箱本体
７ａ  箱上面
８  上蓋
９  蛇口
１０  流し
１１  分岐管
１２  ノズル
１３  ホース出入口
１４  巻取軸
１５  散水用水栓
【図１】
0005145392.tif 000002
【図２】
0005145392.tif 000003
【図３】
0005145392.tif 000004